(57)【要約】      （修正有）【課題】水タンクを小型化した場合にも十分な解凍性能が得られるようにして寒冷地での円滑な始動を実現すると共に、水タンク内の加湿水が凍結した際の体積膨張による作用応力を緩和して、水タンクの損傷を防止する。【解決手段】燃料電池スタック加湿用の加湿水が貯蔵される水タンク３３に放熱ユニット５１を設ける。放熱ユニット５１を構成する各放熱板５２，５３，５４，５５は温媒流路を有しており、この温媒流路に加温した不凍液を流通させることで、各放熱板５２，５３，５４，５５を伝熱面として機能させて、貯水部内で凍結した加湿水を解凍する。また、水タンク３３の外周部は、底部を除いて断熱材５７で覆われるようにする。これにより、加湿水の凍結は水タンク３３の底部側から促進されて、凍結による体積膨張は水面上昇となって現れることになり、加湿水凍結時における各放熱板５２，５３，５４，５５への作用応力を緩和できる。【選択図】図２
2005100759.tif 000002
【特許請求の範囲】
【請求項１】
固体高分子電解質型の燃料電池と、この燃料電池を加湿するための加湿水が貯蔵される水タンクとを備える燃料電池システムにおいて、
前記水タンクに温媒を流通させる温媒流路が設けられ、この温媒流路が温媒の流通により加熱されて伝熱面とされると共に、前記水タンクの底部を除く外周部が断熱材で覆われていることを特徴とする燃料電池システム。
【請求項２】
前記温媒流路は、少なくとも前記水タンクの底部及び側壁部と貯水部内とに設けられていることを特徴とする請求項１に記載の燃料電池システム。
【請求項３】
前記温媒流路が、前記水タンクの上面側にも設けられていることを特徴とする請求項２に記載の燃料電池システム。
【請求項４】
前記水タンクの貯水部内に設けられた温媒流路の伝熱面は、当該伝熱面によって囲まれる貯水部内の水面の面積が水位の上昇とともに次第に増加するように傾斜角を有することを特徴とする請求項２又は３に記載の燃料電池システム。
【請求項５】
前記水タンクの貯水部内に設けられた温媒流路の伝熱面に、少なくとも一端側が自由端とされた伝熱フィンが一体形成されていることを特徴とする請求項２乃至４の何れかに記載の燃料電池システム。
【請求項６】
前記燃料電池を冷却する冷却手段を更に備え、
前記冷却手段の冷却媒体を加熱して前記温媒として用いることを特徴とする請求項１乃至５の何れかに記載の燃料電池システム。
【請求項７】
前記燃料電池に供給した燃料の一部を燃焼する燃焼器を更に備え、
前記燃焼器を前記冷却媒体を加熱する加熱手段として用いることを特徴とする請求項６に記載の燃料電池システム。
【請求項８】
前記冷却媒体が不凍液であることを特徴とする請求項６又は７に記載の燃料電池システム。
【発明の詳細な説明】
【技術分野】
【０００１】
本発明は、固体高分子電解質型燃料電池及びこれを加湿するための加湿水が貯蔵される水タンクを備えた燃料電池システムに関するものであり、特に、水タンク内に貯蔵された加湿水が凍結したときにこれを解凍するための解凍機構の改良に関する。
【背景技術】
【０００２】
近年の環境問題、特に自動車の排出ガスによる大気汚染や二酸化炭素による地球温暖化の問題等に対する対策として、クリーンな排気及び高エネルギ効率を可能とする燃料電池技術が注目を浴びている。燃料電池は、燃料となる水素あるいは水素リッチな改質ガス及び空気を、電解質・電極触媒複合体に供給し、電気化学反応を起こし、化学エネルギを電気エネルギに変換するエネルギ変換システムである。中でも、固体高分子膜を電解質として用いた固体高分子電解質型燃料電池は、低コストでコンパクト化が容易であり、しかも高い出力密度を有することから、自動車等の移動体用電源としての用途が期待されている。
【０００３】
ところで、前記固体高分子電解質型燃料電池においては、固体高分子膜は、飽和含水することによりイオン伝導性電解質として機能するとともに、水素と酸素とを分離する機能も有する。固体高分子膜の含水量が不足すると、イオン抵抗が高くなり、水素と酸素とが混合して燃料電池としての発電ができなくなってしまう。
【０００４】
一方で、水素極で分離した水素イオンが電解質膜を通るときには、水も一緒に移動するため、水素極側は乾燥する傾向にある。また、供給する水素または空気に含まれる水蒸気が少ないと、それぞれの反応ガス入口付近で固体高分子膜が乾燥する傾向にある。
【０００５】
このようなことから、固体高分子電解質型燃料電池における固体高分子膜は、外部から水分を供給して積極的にこれを加湿する必要があり、電解質自体を加湿したり、供給される水素や空気を加湿する等、何らかの加湿手段が設けられている。
【０００６】
固体高分子電解質型燃料電池における加湿手段においては、寒冷地での使用等を考慮して、加湿用の水の凍結に対して対策を講ずることが必要となる。例えば、電気自動車の電源として前記固体高分子電解質型燃料電池を用いた場合、寒冷地等での使用により加湿水が凍結してしまうと、円滑な始動が困難になる。
【０００７】
これを解消するために、加湿水を貯蔵する水タンクに燃料電池の冷却配管を隣接させ、凍結時の起動の際に加熱された冷却液により水タンクを加熱し、水タンク内の凍結水を解凍する技術が提案されている（例えば、特許文献１参照。）。
【特許文献１】特開２０００−１４９９７０号公報
【発明の開示】
【発明が解決しようとする課題】
【０００８】
しかしながら、上述した従来の技術のように、単に冷却配管を水タンクに隣接させただけでは、伝熱面積を広くすることができず、十分な解凍性能が得られないという問題がある。この方法で伝熱面積を広げるためには、水タンクを大型化すればよいことになるが、車両等へ搭載できるように燃料電池システムの小型化を図る場合には、水タンクの大型化による対応は難しい。
【０００９】
また、上述した従来技術では、水タンク内の加湿水が凍結する際の体積膨張については全く考慮されておらず、凍結時によって加湿水に体積膨張が生じたときの応力の影響で、水タンクに損傷を与える虞もある。
【００１０】
本発明は、以上のような従来のシステムが有する不都合を解消すべく創案されたものであって、水タンクを小型化した場合にも十分な解凍性能が得られるようにして寒冷地での円滑な始動を実現すると共に、水タンク内の加湿水が凍結した際の体積膨張による作用応力を緩和して、水タンクの損傷を防止することが可能な燃料電池システムを提供することを目的としている。
【課題を解決するための手段】
【００１１】
本発明の燃料電池システムは、固体高分子電解質型の燃料電池と、この燃料電池を加湿するための加湿水が貯蔵される水タンクとを備えている。水タンクには温媒を流通させる温媒流路が設けられており、この温媒流路が温媒の流通によって加熱されて伝熱面として機能するようになっている。また、水タンクの底部を除く外周部は断熱材で覆われており、この水タンクの底部を除く外周部から外部への放熱が抑制されるようになっている。
【００１２】
本発明の燃料電池システムでは、水タンクの底部を除く外周部が断熱材で覆われており、この部分から外部への放熱が抑制されるので、水タンク内に貯蔵された加湿水が凍結する際には、その凍結は底部側から始まり、凍結による加湿水の体積膨張は水面の上昇となって現れることになる。したがって、凍結によって加湿水に体積膨張が生じても、その作用応力が伝熱面として機能する温媒流路等に過度に加わることがない。
【発明の効果】
【００１３】
本発明の燃料電池システムによれば、水タンクに設けた温媒流路に温媒を流通させることにより水タンクの解凍性能を向上させることができ、寒冷地での使用の際にも円滑な始動が可能である。また、十分な伝熱面積を確保することができるので、水タンクを大型化する必要がなく、燃料電池システムの小型化を図ることが可能である。さらに、水タンク内に貯蔵された加湿水が凍結したときにも、その体積膨張による作用応力が伝熱面として機能する温媒流路等に過度に加わることがなく、温媒流路の変形や亀裂といったような水タンクの損傷を有効に防止することができる。
【発明を実施するための最良の形態】
【００１４】
以下、本発明を適用した燃料電池システムについて、図面を参照しながら詳細に説明する。
【００１５】
（第１の実施形態）
本実施の形態は、燃料電池を電気自動車の動力源として用いる電気自動車用発電システムに本発明の燃料電池システムを適用したものである。
【００１６】
図１は、電気自動車用発電システム全体を示すものである。この電気自動車用発電システムは、大別して、電気自動車の動力源である燃料電池スタック１、この燃料電池スタック１に燃料である水素（あるいは水素リッチガス）及び酸化剤（空気）を供給する燃料・空気供給系２、燃料電池スタック１に加湿用の水を供給する加湿手段３、燃料電池スタック１を冷却するための冷却手段４からなる。
【００１７】
燃料電池スタック１は、水素が供給される燃料極と酸素（空気）が供給される空気極とが電解質・電極触媒複合体を挟んで重ね合わされた発電セルが多段積層された構造を有し、電気化学反応により化学エネルギを電気エネルギに変換する。燃料極では、水素が供給されることで水素イオンと電子とが解離し、水素イオンは電解質を通り、電子は外部回路を通って電力を発生させて、空気極側にそれぞれ移動する。また、空気極では、供給された空気中の酸素と前記水素イオン及び電子が反応して水が生成され、外部に排出される。
【００１８】
燃料電池スタック１の電解質としては、高エネルギ密度化、低コスト化、軽量化等を考慮して、固体高分子電解質膜が用いられる。固体高分子電解質膜は、例えばフッ素樹脂系イオン交換膜等、イオン（プロトン）伝導性の高分子膜からなるものであり、先にも述べた通り、飽和含水することによりイオン伝導性電解質として機能することから、このような固体高分子電解質膜を電解質として用いた固体高分子電解質型の燃料電池スタック１においては、水を供給して固体高分子電解質膜を加湿することが必要になる。
【００１９】
この燃料電池スタック１で電力を発生させるには、燃料となる水素や酸化剤である空気を燃料極や空気極に各々供給する必要があり、そのための機構が燃料・空気供給系２である。この燃料・空気供給系２は、水素ガスあるいは水素リッチガスを供給するための燃料供給経路２１、及び空気を供給するための空気供給経路２２とから構成され、燃料供給経路２１は燃料電池スタック１の燃料供給口と接続され、空気供給経路２２は燃料電池スタック１の空気供給口と接続される。燃料供給経路２１においては、図示しない水素タンク等の水素供給源から供給される水素が減圧弁によって所定の圧力まで減圧され、さらに、例えば圧力制御弁がマイクロコンピュータ等のコントロールユニットによって圧力制御されて、運転条件に対応した所望の圧力に制御された水素が供給される。
【００２０】
加湿手段３は、燃料電池スタック１の固体高分子電解質膜、燃料である水素、あるいは空気の少なくとも何れかを加湿するものであり、加湿用の水を供給する加湿水供給経路３１、余分な加湿水を回収する水回収経路３２、加湿水が貯蔵される水タンク３３、及び水タンク３３内の加湿水を汲み上げるための水ポンプ３４とから構成される。水タンク３３内の加湿水は、前記水ポンプ３４によって汲み上げられ、前記加湿水供給経路３１を経て燃料電池スタック１の加湿に供され、余剰の加湿水が前記水回収経路３２を経て水タンク３３に戻される。なお、加湿水は、燃料電池スタック１に直接供給しないで、燃料電池スタック１に供給するガス（水素リッチガスや空気）を加湿する加湿器を用い、ここに供給するようにしてもよい。
【００２１】
加湿水供給経路３１の入り口側には、ストレーナ３５が取り付けられており、異物の混入等が防止される。また、水タンク３３には、貯蔵される水の凍結を防止するための伝熱面が設けられているが、これについては詳細を後述する。
【００２２】
また、固体高分子電解質型の燃料電池スタック１は、適正な作動温度が８０℃程度と比較的低く、過熱時には冷却することが必要である。そこで、この電気自動車発電システムにおいては、燃料電池スタック１を冷却する冷却手段４が設けられている。この冷却手段４は、冷媒を燃料電池スタック１に循環する循環経路４１を有し、例えば冷媒である不凍液（水よりも凝固点の低い液体。）により燃料電池スタック１を冷却し、これを最適な温度に維持する。なお、冷媒としては、前記不凍液以外のものを用いるようにしてもよいが、寒冷地での使用等を考慮すると、凝固点の低い不凍液を用いることが好ましい。
【００２３】
冷却手段４の循環経路４１内には、ラジエータ４２が設けられており、燃料電池スタック１の冷却により加熱された冷媒は、ここで冷却される。また、前記ラジエータ４２と並列に、熱交換器４３に通じる分岐経路４４が設けられており、例えば寒冷地での始動時等において、燃料電池スタック１を適正温度まで加熱する必要がある場合には、前記不凍液を流路切替バルブＡ，Ｂの操作によって熱交換器４３へと導き、これを加熱して燃料電池スタック１に供給する。したがって、この場合には、前記不凍液は温媒として機能することになる。また、循環経路４１は、前記加湿手段３の水タンク３３に設けられた伝熱面を加熱する温媒流路にも接続されており、寒冷地での始動時等においては、加熱された不凍液を温媒として水タンク３３内の水を解凍する。
【００２４】
熱交換器４３は、水素燃焼器４５を熱源とするものであり、この水素燃焼器４５の燃料としては、燃料電池スタック１の燃料・空気供給系２の水素ガス（水素リッチガス）及び空気が利用される。すなわち、前記燃料・空気供給系２の燃料供給経路２１及び空気供給経路２２には、中途部にそれぞれバルブ４６，４７が設けられており、ここから分岐された分岐燃料供給経路４８及び分岐空気供給経路４９が前記水素燃焼器４５に接続されている。この水素燃焼器４５からの燃焼ガスは、熱交換器４３にて吸熱された後、排気管５０より外部へと排気される。
【００２５】
以上の構成を有する電気自動車発電システムにおいて、通常走行時には、冷却手段４の流路切替バルブＡはＡ１−Ａ２連通、流路切替バルブＢはＢ１−Ｂ２連通とされ、不凍液が燃料電池スタック１とラジエータ４２との間を循環する回路が構成される。この場合、不凍液は冷媒として機能し、燃料電池スタック１での発熱をラジエータ４２で放熱し、燃料電池スタック１を温度調節する。
【００２６】
一方、寒冷地等での冷間起動時においては、流路切替バルブＡはＡ１−Ａ３連通、流路切替バルブＢはＢ１−Ｂ３連通とされ、不凍液が燃料電池スタック１と熱交換器４３との間を循環する回路が構成される。このとき、図示しない水素タンクから水素ガスあるいは水素リッチガスが水素燃焼器４５に供給され、その燃焼ガスを加熱媒質として熱交換器４３が不凍液を加温する。この場合、不凍液は温媒として機能し、燃料電池スタック１を流通してこれを加温した後、水タンク３３の温媒流路を流通して水タンク３３内の加湿水を加温し、熱交換器４３へ戻る。不凍液は、水素ガス、あるいは水素リッチガスが水素燃焼器４５に供給されている限り加温され、この不凍液が燃料電池スタック１及び水タンク３３の温媒流路を流通して、燃料電池スタック１及び水タンク３３が加温される。このとき、水タンク３３内の加湿水が凍結している場合には、この不凍液による加温によって水タンク３３内の加湿水が解凍されることになる。そして、不凍液により解凍された加湿水は、水ポンプ３４と接続された加湿水供給経路３１を経て燃料電池スタック１に供給され、燃料電池スタック１の加湿に使用される。
【００２７】
ところで、以上のような冷間起動時に円滑な始動を実現するためには、温媒である不凍液による解凍性能が極めて重要である。すなわち、解凍性能が高ければ、水タンク３３を小型化しても凍結した加湿水を速やかに解凍することができ、円滑な始動が可能になる。本実施の形態においては、水タンク３３に温媒である不凍液を流通させる温媒流路を設け、加温された不凍液を流通させることでこの温媒流路を伝熱面として機能させるようにして、効率的な解凍を実現している。以下、水タンク３３に設けられた解凍機構の具体的構成について説明する。
【００２８】
水タンク３３は、図２及び図３に示すように、温媒流路を有する放熱ユニット５１を用いた構成とされており、この放熱ユニット５１の温媒流路を温媒である不凍液が流通することにより、水タンク３３内の加湿水（氷）が加温されるようになっている。放熱ユニット５１は、平面形状が矩形とされた枠体状の放熱板を複数有し、この例ではサイズの異なる放熱板５２、５３、５４、５５が４重に配列されている。このうち、最外周部の放熱板５５は、水タンク３３の外周容器も兼ねており、その上面が蓋体５６によって塞がれ、さらに底部を除く外周部が断熱材５７で覆われている。また、水タンク３３には、内部の圧力上昇を抑えるエアブリーザや水温を計測する温度計、水量を計測する水位計等が設けてあるが、ここでは図示を省略する。
【００２９】
放熱ユニット５１を構成する各放熱板５２、５３、５４、５５の上端部の一カ所には、冷却手段４の循環経路４１と接続される温媒導入管５８が接続されており、ここから各放熱板５２、５３、５４、５５内の温媒流路へ温媒である不凍液が導入される。同様に、各放熱板５２、５３、５４、５５の底面部の一カ所には、循環経路４１の下流部と接続される温媒排出管５９が接続されており、これが出口となって温媒流路を流通した不凍液は循環経路４１に戻る。
【００３０】
以上のような構造の放熱ユニット５１においては、温媒流路に加温された不凍液が導入されることにより、各放熱板５２、５３、５４、５５の内周面５２ａ，５３ａ，５４ａ，５５ａ及び外周面５２ｂ，５３ｂ，５４ｂが伝熱面として機能することになる。そして、これらの伝熱面を介して不凍液からの熱が水タンク３３内で凍結した加湿水（氷）に伝達されることで、水タンク３３内の加湿水（氷）が加温されて解凍される。
【００３１】
なお、水タンク３３には加湿水の貯水量が過剰となったときにこれを排出するためのドレイン口６０が設けられており、各放熱板５２、５３、５４、５５の上端、すなわち各伝熱面の上端の位置が、水タンク３３における貯水上限よりも高くなるように設定されている。
【００３２】
ここで、各伝熱面、すなわち各放熱板５２、５３、５４、５５の内周面５２ａ，５３ａ，５４ａ，５５ａ及び外周面５２ｂ，５３ｂ，５４ｂは、これら伝熱面によって囲まれる水面の面積が水位の上昇とともに次第に増加するように傾斜角を有する。例えば、最内周部の放熱板５２を例に挙げて説明すると、その内周面５２ａは、互いに対向する面同士の間隔が上に行くほど広くなるように傾斜角θをもって傾斜されている。そして、底部に近い部分での間隔Ｗ１と上端部に近い部分での間隔Ｗ２とを比べると、Ｗ１＜Ｗ２となっている。これは、図３において左右に対向する面同士でも、上下に対向する面同士でも同様である。したがって、図４に示すように、放熱板５２の内周面５２ａで囲まれる水面の面積は、水面（または氷面）の上昇とともに広くなり、例えば低水位での水面の面積Ｓ１よりも高水位で水面の面積Ｓ２の方が広くなる。
【００３３】
以上のような関係は、他の伝熱面同士の間においても同様であり、放熱板５２の外周面５２ｂと放熱板５３の内周面５３ａ、放熱板５３の外周面５３ｂと放熱板５４の内周面５４ａ、放熱板５４の外周面５４ｂと放熱板５５の内壁面５５ａにおいても、対向する面の間隔が上に行くにしたがって次第に広がるように各伝熱面が傾斜されている。その結果、いずれの伝熱面で囲まれる水面も、その面積が水位の上昇とともに増加するようになっている。
【００３４】
タンク内に貯蔵された水が凍結する際には、氷の比重は水より小さいために、一般的には上面が凍結してから内部が凍り、このときの体積膨張に起因する作用力により伝熱面（放熱ユニット５１を構成する各放熱板５２、５３、５４、５５）の変形、亀裂などが懸念される。しかしながら、貯水部分の上部ほど面積が広がるよう伝熱面に傾斜角を有する構成とすれば、体積膨張した際に氷面が伝熱面から離れることになり、伝熱面への作用力を緩和させることができる。
【００３５】
ただし、このような加湿水凍結時の体積膨張による水タンク３３の損傷を、伝熱面に傾斜を設けるという手法のみで確実に防止するのは、特に、電気自動車用発電システムへの適用を考えた場合には、実現が極めて困難である。
【００３６】
すなわち、電気自動車用発電システムに適用される燃料電池システムでは、電気自動車が坂道に駐車されて傾斜状態におかれることも考慮する必要があり、このような状況においても伝熱面の傾斜による上広がり構造を確保して、水平状態におかれた場合と同様にその機能を有効とするためには、伝熱面の傾斜角を車両傾斜角よりも大きくする必要がある。このため、貯水部内に配置される放熱板５２、５３、５４の下部幅が広がることで、放熱ユニット５１の体積が増大してタンク自体が大型化するという問題があり、同じスペースで考えると、加湿水の貯蔵量が低減するという問題がある。また、水タンク３３の水タンク３３の外周容器を兼ねる放熱板５５に大きな傾斜角を持たせると、レイアウト上の制約を受けるといった問題も生じる。
【００３７】
そこで、本発明の燃料電池システムにおいては、水タンク３３の伝熱面の傾斜による上広がり構造の機能に加えて、水タンク３３（放熱ユニット５１）の外周部を覆う断熱材５７の配置を工夫することによっても、加湿水凍結時の体積膨張による水タンク３３の損傷を防止できるようにしている。すなわち、本発明の燃料電池システムにおける水タンク３３には、その底部を除く外周部（外周容器を兼ねる放熱板５５の側壁部及び蓋体５６）を覆うようにして、断熱材５７が配置されている。この断熱材５７は、水タンク３３から外部への放熱を抑制するものである。
【００３８】
以上のように、水タンク３３の底部を除く外周部が断熱材５７にて覆われる構成とすることにより、断熱材５７で覆われている放熱板５５の側壁部や蓋体５６からの放熱が抑制される一方で、水タンク３３の底部、すなわち放熱板５５の底部からの放熱が促進されることになる。したがって、水タンク３３内に貯蔵された加湿水が凍結する際には、その凍結は底部側から始まり、凍結による加湿水の体積膨張は水面の上昇となって現れることになる。その結果、凍結によって加湿水に体積膨張が生じても、その作用応力が伝熱面（放熱ユニット５１を構成する各放熱板５２、５３、５４、５５）に過度に加わることがなく、これら各放熱板５２、５３、５４、５５の変形や亀裂といったような水タンク３３の損傷を有効に防止することができる。
【００３９】
図５は、水タンク３３の外周部を覆う断熱材５７の配置と、水タンク３３内の加湿水の凍結時に放熱板５５の底部（図２中のＡ部）及び放熱板５５の側壁部（図２中のＢ部）に作用する応力との関係を示したものである。この図５において、細線のグラフは水タンク３３の底部を含む外周部全てを断熱材５７で覆った場合に生じる応力の経時変化を示し、太線のグラフは水タンク３３の底部を除く外周部を断熱材５７で覆った場合に生じる応力の経時変化を示している。この図５から分かるように、水タンク３３内の加湿水が凍結すると、水タンク３３の外周容器を兼ねる放熱板５５の底部には引張応力、放熱板５５の側壁部には圧縮応力がそれぞれ加わるが、水タンク３３の底部を除く外周部を断熱材５７で覆う構成とすることで、水タンク３３の外周部全てを断熱材５７で覆った場合に比べて、放熱板５５の底部及び側壁部に加わる応力を大幅に低減させることができる。
【００４０】
なお、以上のような断熱材５７の配置を工夫することによる効果は、水タンク３３の伝熱面を上広がり構造としない場合にも有効であるが、水タンク３３の伝熱面を上広がり構造とした上で、さらに水タンク３３の底部を除く外周部を断熱材５７で覆う構成とすれば、加湿水凍結時の体積膨張による作用応力を大幅に低減させることができ、水タンク３３の損傷を確実に防止することができる。また、この場合には、伝熱面の傾斜角を車両傾斜角よりも大きくすることなく、加湿水凍結時の体積膨張による作用応力を緩和できるので、伝熱面の傾斜角を大きくすることによるタンク自体の大型化や、レイアウト上の制約を受けるといった問題を回避できる。
【００４１】
さらに、加湿水凍結時の体積膨張による作用応力を大幅に低減できることの副次的な効果として、放熱ユニット５１を構成する各放熱板５２、５３、５４、５５の板厚低減が可能となり、水タンク３３の軽量化を実現することができる。
【００４２】
以上説明したように、本発明の燃料電池システムにおいては、水タンク３３が温媒流路を有する放熱ユニット５１を用いた構成とされ、この放熱ユニット５１を構成する各放熱板５２、５３、５４、５５の温媒流路に温媒を流通させることで、これら放熱板５２、５３、５４、５５を伝熱面として機能させるようにしているので、水タンク３３を大型化することなく広い伝熱面積を確保することができ、水タンク３３内で凍結した水を効率的に加温し、これを解凍させることができる。また、加熱手段も燃料電池スタック１の暖機促進と水タンク３３内の加湿水の解凍とを兼ねさせることができ、コストアップを抑制できる。加えて、燃料電池スタック１の冷却媒体を解凍のための温媒として用いるので、専用の温媒循環装置を設ける必要が無く、この点からもコストアップを抑制できる。さらに、水素燃焼器４５を加熱手段として用いているので、電気ヒータ等を用いる場合よりも起動に要する電力が少なくて済み、電気自動車に搭載する場合、起動用の２次電池の大型化を抑制できる。
【００４３】
また、本発明の燃料電池システムにおいては、上述したように、水タンク３３内の加湿水の凍結により体積膨張が生じても、その体積膨張による作用応力が大幅に低減されるようになっているので、伝熱面として機能する放熱ユニット５１の各放熱板５２、５３、５４、５５に過度の応力が加わることがなく、放熱ユニット５１の変形や亀裂の発生といったような、水タンク３３の損傷を有効に防止することができる。
【００４４】
（第２の実施形態）
この実施形態は、水タンク３３に設けられた放熱ユニット５１の形状を変更した例である。電気自動車発電システムの基本的な構成は、先の図１に示すものと同様である。
【００４５】
この実施形態では、図６及び図７に示すように、放熱ユニット５１が、外周容器を兼ねる箱状の放熱板６１と、貯水部内を仕切るように配列された複数の板状の放熱板６２、６３、６４、６５、６６、６７とから構成されており、本例では貯水部内に板状の放熱板が６列配列されている。本実施形態の放熱ユニット５１を構成する各放熱板６１、６２、６３、６４、６５、６６、６７は、上述した第１の実施形態と同様に、温媒を流通させる温媒流路を有しており、この温媒流路に温媒を流通させることにより、各放熱板６１、６２、６３、６４、６５、６６、６７が伝熱面として機能するようになっている。
【００４６】
外周容器を兼ねる放熱板６１の上端側の一カ所には、冷却手段４の循環経路４１と接続される温媒導入管５８が接続されており、ここから各放熱板６１、６２、６３、６４、６５、６６、６７内の温媒流路へ温媒である不凍液が導入される。同様に、外周容器を兼ねる放熱板６１の底面側の一カ所には、循環経路４１の下流部と接続される温媒排出管５９が接続されており、これが出口となって温媒流路を流通した不凍液は循環経路４１に戻る。
【００４７】
以上のような構造の放熱ユニット５１においては、温媒流路に加温された不凍液が導入されることにより、各放熱板６１、６２、６３、６４、６５、６６、６７が伝熱面として機能することになる。そして、これらの伝熱面を介して不凍液からの熱が水タンク３３内で凍結した加湿水（氷）に伝達されることで、水タンク３３内の加湿水（氷）が加温されて解凍される。
【００４８】
外周容器を兼ねる放熱板６１は、水タンク３３の全周を密閉するように箱状に形成されている。すなわち、上述した第１の実施形態では水タンク３３の上面は蓋体５６で覆われていたのに対し、本実施形態では、水タンク３３の上面も放熱板６１で覆われて、温媒流路が水タンク３３の上面側にも配置された構成となっている。
【００４９】
また、貯水部内を仕切るように配列された複数の板状の放熱板６２、６３、６４、６５、６６、６７には、それぞれ多数の伝熱フィン６８が一体形成されている。これら伝熱フィン６８は、基端側が各放熱板６２、６３、６４、６５、６６、６７に固定されると共に、先端側は自由端とされて、隣接する放熱板に向かって張り出すように、各放熱板６２、６３、６４、６５、６６、６７に一体形成されている。本実施形態では、加温された不凍液の導入によって各放熱板６２、６３、６４、６５、６６、６７が伝熱面として機能する際に、これら伝熱フィン６８も伝熱面として機能させるようにしている。これにより、水タンク３３の貯水部内の広い範囲に亘って伝熱面を確保することができ、水タンク３３内で凍結した水を効率的に加温し、これを解凍させることができる。
【００５０】
以上のような放熱ユニット５１を用いた本実施形態の水タンク３３においても、その底面部を除く外周部（放熱板６１の側壁部及び上面部）は、断熱材５７によって覆われている。これにより、断熱材５７で覆われている放熱板６１の側壁部や上面部からの放熱が抑制される一方で、水タンク３３の底部、すなわち放熱板６１の底部からの放熱が促進されることになる。したがって、水タンク３３内に貯蔵された加湿水が凍結する際には、上述した第１の実施形態と同様に、その凍結は底部側から始まり、凍結による加湿水の体積膨張は水面の上昇となって現れることになる。
【００５１】
特に、本実施形態の水タンク３３では、その上面側にも温媒流路が配置された構成となっているので、貯水部内の加湿水の水面部の凍結をより一層遅延させることができる。その結果、凍結によって加湿水に体積膨張が生じても、その作用応力が伝熱面（放熱ユニット５１を構成する各放熱板６１、６２、６３、６４、６５、６６、６７）に過度に加わることがなく、これら各放熱板６１、６２、６３、６４、６５、６６、６７の変形や亀裂といったような水タンク３３の損傷を有効に防止することができる。
【００５２】
また、貯水部内に配列された各放熱板６２、６３、６４、６５、６６、６７には伝熱面積確保のために多数の放熱フィン６８が一体形成されているので、加湿水凍結時の体積膨張による作用応力はこれら放熱フィン６８にも加わることになるが、これら放熱フィン６８は、上述したように、その先端部を自由端とした状態で各放熱板６２、６３、６４、６５、６６、６７に固定されているので、これら放熱フィン６８に過大な応力が加わることもない。
【００５３】
なお、以上は、上広がり構造を持たない放熱ユニット５１を例示して、この放熱ユニット５１の外周容器を兼ねる放熱板６１が水タンク３３の上面部を覆うようにして、水タンク３３の上面側にも温媒流路が配置されるようにすると共に、貯水部内に配列される各放熱板６２、６３、６４、６５、６６、６７に多数の放熱フィン６８を一体形成するようにした例を説明したが、上述した第１の実施形態のような上広がり構造を有する放熱ユニット５１においても、同様の構成を採用することが可能である。すなわち、上述した第１の実施形態のような上広がり構造を有する放熱ユニット５１において、外周容器を兼ねる放熱板５５が水タンク３３の上面部を覆うようにして水タンク３３の上面側にも温媒流路が配置されるようにすれば、貯水部内の加湿水の水面部の凍結をより一層遅延させて、加湿水凍結時の体積膨張による作用応力をより一層緩和させることができ、また、貯水部内に配置される放熱板５２、５３、５４、５５に多数の放熱フィン６８を一体形成するようにすれば、より広い伝熱面積を確保することができ、水タンク３３内で凍結した加湿水をさらに効率的に加温して、解凍を促進させることができる。
【図面の簡単な説明】
【００５４】
【図１】本発明を適用した電気自動車発電システムの一例を示す全体構成図である。
【図２】水タンクに設けられた解凍機構の一例を示す概略断面図である。
【図３】放熱ユニットの一例を示す平面図である。
【図４】水位の上昇に伴う水面面積の増加の様子を示す模式図である。
【図５】水タンクの外周部を覆う断熱材の配置と、加湿水凍結時に外周容器を兼ねる放熱板の底部及び側壁部に作用する応力との関係を示す図である。
【図６】水タンクに設けられた解凍機構の他の例を示す概略断面図である。
【図７】放熱ユニットの他の例を示す平面図である。
【符号の説明】
【００５５】
１  燃料電池スタック
３  加湿手段
４  冷却手段
３３  水タンク
４５  水素燃焼器
５１  放熱ユニット
５２，５３，５４，５５  放熱板
５７  断熱材
６１、６２，６３，６４，６５，６６，６７  放熱板
６８  放熱フィン
【図１】
2005100759.tif 000003
【図２】
2005100759.tif 000004
【図３】
2005100759.tif 000005
【図４】
2005100759.tif 000006
【図５】
2005100759.tif 000007
【図６】
2005100759.tif 000008
【図７】
2005100759.tif 000009